(57)【要約】【課題】フェルールを用いなくとも、光ファイバの端部の位置決めが可能な照明装置を提供する。【解決手段】光ファイバ１０から導光されたレーザ光を波長変換して出力する照明装置１であって、光ファイバ１０を保持する保持部材２と、光ファイバ１０から放出されたレーザ光を波長変換する波長変換部材３と、波長変換部材３を保持するとともに、保持部材２を収容する筐体４と、を備え、保持部材２は、光ファイバ１０の一端部が嵌合される直線状の溝部２１３を有する。【選択図】図３
2018067420.tif 000002
【特許請求の範囲】
【請求項１】
光ファイバから導光されたレーザ光を波長変換して出力する照明装置であって、
前記光ファイバを保持する保持部材と、
前記光ファイバから放出されたレーザ光を波長変換する波長変換部材と、
前記波長変換部材を保持するとともに、前記保持部材を収容する筐体と、を備え、
前記保持部材は、前記光ファイバの一端部が嵌合される直線状の溝部を有する
照明装置。
【請求項２】
前記保持部材は、前記溝部に嵌合された前記光ファイバの一端部を押さえる押さえ部を有する
請求項１に記載の照明装置。
【請求項３】
前記保持部材は、前記溝部が形成された第一板材と、前記押さえ部である第二板材とを重ねて有する
請求項２に記載の照明装置。
【請求項４】
前記溝部には、径方向に並べられた複数本の前記光ファイバが一括して嵌合されている
請求項１〜３のいずれか一項に記載の照明装置。
【発明の詳細な説明】
【技術分野】
【０００１】
本発明は、光ファイバが組み込まれる照明装置に関する。
【背景技術】
【０００２】
従来、光ファイバにより伝送されるレーザ光を励起光として蛍光体を発光させ、所望の光色に変換して照明する照明装置がある（例えば、特許文献１参照）。このような照明装置では、光ファイバの端部をフェルールによって保持することにより、光ファイバの端部の位置決めを行っているのが一般的である。
【先行技術文献】
【特許文献】
【０００３】
【特許文献１】特開２０１４−１０９０８号公報
【発明の概要】
【発明が解決しようとする課題】
【０００４】
ところで、フェルールは比較的高価な部材であるため、フェルールがなくとも光ファイバの端部を安定して位置決めすることが望まれている。
【０００５】
そこで、本発明は、フェルールを用いなくとも、光ファイバの端部の位置決めを可能とする照明装置を提供することである。
【課題を解決するための手段】
【０００６】
本発明の一態様に係る照明装置は、光ファイバから導光されたレーザ光を波長変換して出力する照明装置であって、光ファイバを保持する保持部材と、光ファイバから放出されたレーザ光を波長変換する波長変換部材と、波長変換部材を保持するとともに、保持部材を収容する筐体と、を備え、保持部材は、光ファイバの一端部が嵌合される直線状の溝部を有する。
【発明の効果】
【０００７】
本発明によれば、フェルールを用いなくとも、光ファイバの端部の位置決めが可能な照明装置を提供することができる。
【図面の簡単な説明】
【０００８】
【図１】実施の形態に係る照明装置の構成を示す外観斜視図である。
【図２】図１の照明装置の分解斜視図である。
【図３】図１の照明装置の断面図である。
【図４】実施の形態に係る保持部材の概略構成を示す断面図である。
【図５】実施の形態に係る鍔部の概略構成を示す断面図である。
【図６】変形例１に係る保持部材の概略構成を示す断面図である。
【図７】変形例２に係る照明装置の断面図である。
【図８】変形例２に係る保持部材の概略構成を示す断面図である。
【図９】変形例３に係る照明装置の断面図である。
【発明を実施するための形態】
【０００９】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
本発明の実施の形態に係る照明装置１について、図面を参照しながら説明する。
【００１２】
まず、照明装置１の構成について説明する。図１は、実施の形態に係る照明装置の構成を示す外観斜視図である。図２は、図１の照明装置の分解斜視図である。図３は、図１の照明装置の断面図である。
【００１３】
図１〜図３に示すように、照明装置１は、保持部材２と、波長変換部材３と、筐体４と、レンズ５と、レンズ保持部６とを備えている。
【００１４】
[保持部材]
保持部材２は、光ファイバ１０を保持する部材である。具体的には、保持部材２は、第一部材２１と、第二部材２２とを備えており、この第一部材２１と第二部材２２とが組み付けられた状態で光ファイバ１０を保持している。本実施の形態では、径方向に並んだ一対の光ファイバ１０が保護管１１内に収容された状態で、保持部材２に保持されている。なお、保持部材２が一括で保持する光ファイバ１０は、一本でも三本以上でもよい。また、一対の光ファイバ１０の基端面からは、図示しない発光部（例えば５００ｎｍ以下の短波長光を出力する半導体レーザダイオード）により発せられたレーザ光が入射する。光ファイバ１０により導光されたレーザ光は、当該光ファイバ１０の先端面（光出射面）から放出される。
【００１５】
図４は、実施の形態に係る保持部材２の概略構成を示す断面図である。具体的には、図４は、図３におけるＩＶ−ＩＶ線を含む切断面を見た保持部材２の断面図である。図４においては、筐体４の図示を省略している。
【００１６】
[第一部材]
図３及び図４に示すように、第一部材２１は、金属または樹脂からなる部材であり、本体部２１１と、鍔部２１２とを備えている。本体部２１１は、円柱状の部材の先端部が半円柱状に切りかかれた形状に形成されている。本体部２１１の半円柱状部分における平坦部には、本体部２１１の軸方向に沿う直線状の溝部２１３が形成されている。また、本体部２１１の半円柱状部分における平坦部には、当該平坦部に直交する方向に延在する一対のネジ穴２１４が形成されている。また、本体部２１１には、溝部２１３に連続した直線状の保持孔２１５が形成されている。この保持孔２１５及び溝部２１３内に光ファイバ１０が配置される。溝部２１３には、径方向に並んだ一対の光ファイバ１０の先端部（一端部）が一括して嵌合されている。光ファイバ１０の光出射面（先端面）は、本体部２１１の先端面と面一に配置されている。つまり、本体部２１１の先端面からは、光ファイバ１０によってレーザ光が放出される。
【００１７】
また、保持孔２１５内には、保護管１１とともに光ファイバ１０が配置されている。本体部２１１には、当該本体部２１１の径方向に沿ったネジ穴２１６が、保持孔２１５に連続するように形成されている。このネジ穴２１６にイモネジ２１７を螺合して、当該イモネジ２１７で保護管１１を押さえることで、一対の光ファイバ１０及び保護管１１を保持孔２１５内に固定することができる。
【００１８】
鍔部２１２は、本体部２１１の基端側の外周面から全周にわたって連続して突出している。なお、鍔部２１２は、本体部２１１の外周面から全周にわたって間欠的に突出していてもよいし、本体部２１１の外周面の一部にのみ設けられていてもよい。そして、鍔部２１２には、本体部２１１を挟んで対向する一対の固定孔２５０が軸方向に平行に形成されている。この固定孔２５０は、第一ネジ２６０で筐体４を第一部材２１に組み付けるための孔である。具体的には、固定孔２５０は、鍔部２１２の先端側に配置されて、第一ネジ２６０の軸部２６１が挿通される第一軸孔２５３と、鍔部２１２の基端側に配置されて第一軸孔２５３に連続し、第一ネジ２６０の頭部２６２が収容される第一ザグリ部２５４とを有している。第一ザグリ部２５４は、第一軸孔２５３よりも直径が大きな円形状に形成されている。
【００１９】
図５は、実施の形態に係る鍔部２１２の概略構成を示す断面図である。具体的には、図５は、図４におけるＶ−Ｖ線を含む切断面を見た鍔部２１２の断面図である。
【００２０】
図４及び図５に示すように、鍔部２１２には、一対の固定孔２５０とは異なる場所で隣り合う一対の固定孔２７０が軸方向に平行に形成されている。この固定孔２７０は、照明装置１を支持するための支持体９０に対して、第二ネジ２８０で保持部材２を組み付けるための孔である。具体的には、固定孔２７０は、鍔部２１２の基端側に配置されて、第二ネジ２８０の軸部２８１が挿通される第二軸孔２７３と、鍔部２１２の先端側に配置されて第二軸孔２７３に連続し、第二ネジ２８０の頭部２８２が収容される第二ザグリ部２７４とを有している。第二ザグリ部２７４は、第二軸孔２７３よりも直径が大きな円形状に形成されている。
【００２１】
他方、支持体９０には、各固定孔２７０に対応してネジ穴９９が形成されている。このネジ穴９９と、第一部材２１の固定孔２７０とを位置合わせして、固定孔２７０内に第二ネジ２８０を挿入して、ネジ穴９９に螺合すると、第一部材２１が支持体９０に固定される。
【００２２】
[第二部材]
第二部材２２は、図３及び図４に示すように、半円柱状に形成された部材である。第二部材２２には、外周面から平坦部にかけて貫通した一対の固定孔２２１が形成されている。この固定孔２２１は、平坦部に対して直交する方向に延在しており、第二部材２２が第一部材２１に組み付けられる際には、第一部材２１のネジ穴２１４に連通する。つまり、固定孔２２１は、第二部材２２を第一部材２１に第三ネジ２９０で固定するための孔である。具体的には、固定孔２２１は、第二部材２２の平坦部側に配置されて、第三ネジ２９０の軸部２９１が挿通される第三軸孔２２２と、第二部材２２の外周面側に配置されて第三軸孔２２２に連続し、第三ネジ２９０の頭部２９２が収容される第三ザグリ部２２３とを有している。第三ザグリ部２２３は、第三軸孔２２２よりも直径が大きな円形状に形成されている。そして、第二部材２２を第一部材２１に組み付ける際には、第二部材２２と第一部材２１との平坦部同士を重ね合わせて、固定孔２２１内に第三ネジ２９０を挿入して、ネジ穴２１４に螺合する。これにより、第二部材２２が第一部材２１に固定されて、第二部材２２と第一部材２１とが円柱部分を形成する。また、第三ネジ２９０の頭部２９２は、第三ザグリ部２２３内に収容される。このとき、第一部材２１の溝部２１３に嵌合された光ファイバ１０の一端部は、第二部材２２によって押さえられた状態となる。つまり、第二部材２２は、光ファイバ１０の一端部を押さえる押さえ部である。このように、第二部材２２によって光ファイバ１０の一端部が押さえられるため、光ファイバ１０の一端部が溝部２１３から外れることが防止される。
【００２３】
[波長変換部材]
波長変換部材３は、図２及び図３に示すように、光ファイバ１０の光出射面に対向するように筐体４に保持されている。波長変換部材３は、光ファイバ１０の光出射面から放出されたレーザ光を異なる波長に変換して、所定の色の光を発する光学素子である。波長変換部材３は、基板３１と、蛍光部３２とを備えている。
【００２４】
基板３１は、蛍光部３２を保持するものであり、例えば円環状の基板である。基板３１の周縁部には、ネジ３３を介して筐体４に固定されるための複数の挿通孔３４が周方向に所定の間隔をあけて形成されている。
【００２５】
蛍光部３２は、基板３１の中央の孔を覆うように当該基板３１に取り付けられている。蛍光部３２は、例えば、レーザ光によって励起されて蛍光を発する蛍光体の粒子を分散状態で備えており、レーザ光の照射により蛍光体が蛍光を発する。具体的に、蛍光部３２としては、透明な樹脂やガラスからなる基材の内部に蛍光体の粒子が分散されているもの、または、蛍光体の粒子を固めたもの等を例示できる。
【００２６】
本実施の形態の場合、蛍光部３２は白色光を放射するものであり、レーザ光の照射によって赤色を発光する赤色蛍光体、黄色を発光する黄色蛍光体の２種類の蛍光体が適切な割合で含まれている。また、蛍光部３２には、レーザ光の照射によって赤色を発光する赤色蛍光体、青色を発光する青色蛍光体、緑色を発光する緑色蛍光体の３種類の蛍光体が含まれていてもよい。
【００２７】
蛍光体の種類及び特性は特に限定されるものではないが、比較的高い出力のレーザ光が励起光となるため、熱耐性が高いものが望ましい。また、蛍光体を分散状態で保持する基材の種類は特に限定されるものではないが、透明性が高ければ、白色光の放射効率も高くなるのでよい。また、比較的高い出力のレーザ光が入射するため、耐熱性の高いものがよい。
【００２８】
[筐体]
筐体４は、例えば、Ｆｅ系合金（ＳＵＳ、ＳＦ材等）、Ｃｕ系合金（黄銅等）などの放熱性の高い金属から形成されたハウジングである。筐体４は、図３に示すように、略円筒状に形成されており、その先端部外周面には、レンズ保持部６を固定するための雄ネジ４１０が形成されている。また、筐体４の先端面には、波長変換部材３を固定するための複数のネジ穴４２が形成されている。筐体４の先端面に対して、波長変換部材３を重ねて、波長変換部材３の挿通孔３４及び筐体４のネジ穴４２を位置合わせしてから、挿通孔３４を介してネジ穴４２にネジ３３を螺合することで、波長変換部材３が筐体４の先端面に固定される。この固定によって、波長変換部材３の基板３１及び蛍光部３２が筐体４に接合される。このため、蛍光部３２で発せられた熱は、直接筐体４に伝わったり、基板３１を介して筐体４に伝わることで、筐体４から外方に放出される。
【００２９】
筐体４には、その内部に保持部材２が収容されている。具体的には、筐体４の先端面の中心に軸方向に沿った貫通孔４１が形成されている。貫通孔４１は、筐体４の先端面から基端面まで貫通している。この貫通孔４１内に保持部材２が収容されている。この貫通孔４１の同軸上に波長変換部材３が配置されている。なお、本実施の形態では、波長変換部材３は、貫通孔４１の外方から貫通孔４１を覆っている場合を例示しているが、波長変換部材３は、貫通孔４１の同軸上に配置されていればよい。つまり、波長変換部材３は貫通孔４１を覆っていなくてもよいし、貫通孔４１の内方に配置されていてもよい。
【００３０】
貫通孔４１は、筐体４の基端面（一端面）から先端面（他端面）に向けて内径が段階的に減少（単調減少）する形状に形成されている。具体的には、貫通孔４１は、先端側から順に、小径部分４１１と、中径部分４１２と、大径部分４１３とを備えている。小径部分４１１、中径部分４１２、大径部分４１３は、いずれも円柱状の孔であり、同軸上に配置されている。
【００３１】
小径部分４１１は、光ファイバ１０から放出されたレーザ光を、波長変換部材３の蛍光部３２まで案内する光路をなす。換言すると、保持部材２に保持された光ファイバ１０の光出射面は、小径部分４１１を介して波長変換部材３の蛍光部３２に対向している。
【００３２】
中径部分４１２及び大径部分４１３には、保持部材２が収容されている。具体的には、中径部分４１２には、保持部材２における第一部材２１の本体部２１１と、第二部材２２とが収容され、大径部分４１３には、第一部材２１の鍔部２１２が収容されている。
【００３３】
中径部分４１２は、保持部材２の本体部２１１が第二部材２２とともに嵌合する第一部分である。具体的には、中径部分４１２の内径は、第一部材２１の本体部２１１と、第二部材２２とが組み付けられることでなされた円柱部分が嵌合する大きさに形成されている。この嵌合によって、保持部材２は、軸方向に直交する方向の位置が決められるため、当該保持部材２で保持された光ファイバ１０の、軸方向に直交する方向の位置も決められることになる。
【００３４】
また、中径部分４１２をなす奥側の底面は、保持部材２における第一部材２１の先端面と第二部材２２の先端面とのそれぞれが当接する当接面４５である。当接面４５に第一部材２１の先端面と第二部材２２の先端面とが当接することで、保持部材２で保持された光ファイバ１０の光出射面を位置決めすることができる。当接面４５と蛍光部３２との間隔は、保持部材２で保持された光ファイバ１０の光出射面が、蛍光部３２に対して適切に位置決めされる長さとされている。
【００３５】
大径部分４１３は、中径部分４１２よりも基端側に配置された第二部分であり、鍔部２１２を収容する形状に形成されている。大径部分４１３内に鍔部２１２が収容されると、保持部材２は全体として筐体４内に収まるために、スッキリとした印象の外観とすることができる。
【００３６】
また、大径部分４１３の奥側の底面には、鍔部２１２の複数の固定孔２５０それぞれが直線状に並ぶ複数の第一ネジ穴４６が形成されている。大径部分４１３に収容された鍔部２１２の固定孔２５０を介して、第一ネジ２６０の軸部２６１を第一ネジ穴４６に螺合すると、保持部材２が筐体４に固定される。固定後においては、第一ネジ２６０の頭部２６２は、固定孔２５０の第一ザグリ部２５４に収容されるため、第一ネジ２６０全体が筐体４内に収まり、照明装置１全体としての見栄えを損なうことが抑制される。
【００３７】
[レンズ]
レンズ５は、図３に示すように、波長変換部材３の蛍光部３２によって波長変換された光の配光を制御する配光制御レンズである。レンズ５における蛍光部３２との対向面は、蛍光部３２から発せられた光を極力漏らすことなくレンズ５内に取り込むことができる形状となっている。このレンズ５の対向面の形状は、レンズ５と蛍光部３２との位置関係（間隔）が一定であることを前提として最適化されている。レンズ５の先端部外周面には、全周にわたって突出した突起５１が形成されており、この突起５１がレンズ保持部６に係合することにより、レンズ５がレンズ保持部６によって保持される。
【００３８】
[レンズ保持部]
レンズ保持部６は、図３に示すように、レンズ５を保持する部位であり、外装体６１と、保持具６２とを備えている。外装体６１は、金属または樹脂から形成された略円筒状の部材であり、その内部にレンズ５と保持具６２とが収容されている。外装体６１の基端部内周面には、筐体４の雄ネジ４１０が螺合する雌ネジ６３が形成されている。また、外装体６１の先端部内周面には、内方に向けて突出した突部６４が全周にわたって形成されている。突部６４は、レンズ５の突起５１に当接する。
【００３９】
保持具６２は、金属または樹脂から形成された略円筒状の部材であり、その内部にレンズ５が収容されている。保持具６２の先端部は、レンズ５の突起５１に当接している。具体的には、外装体６１内にレンズ５及び保持具６２が収容された状態で、当該外装体６１が筐体４に螺合すると、保持具６２の先端部と外装体６１の突部６４とがレンズ５の突起５１を挟持する。これにより、レンズ５の位置決めが行われる。
【００４０】
次に、照明装置１の組み立て方法について説明する。
【００４１】
図２に示す状態から、筐体４には、波長変換部材３がネジ３３によって取り付けられる。その後、筐体４には、レンズ５及びレンズ保持部６が取り付けられる。具体的には、レンズ５及び保持具６２を収容した外装体６１の雌ネジ６３を、筐体４の雄ネジ４１０に対して螺合させることで、レンズ５及びレンズ保持部６が筐体４に取り付けられる。
【００４２】
一方、保持部材２の第一部材２１には、一対の光ファイバ１０が保護管１１を介して取り付けられる。具体的には、第一部材２１の保持孔２１５に対して、一対の光ファイバ１０と保護管１１とを挿入する。その際、一対の光ファイバ１０の先端部は、保護管１１から引き出されており、第一部材２１の溝部２１３に嵌め込まれる。次いで、第一部材２１のネジ穴２１６にイモネジ２１７が螺合されることで、一対の光ファイバ１０と保護管１１とが保持孔２１５内で固定される。
【００４３】
その後、第一部材２１には、第二部材２２が取り付けられる。具体的には、図４に示すように、第二部材２２と第一部材２１との平坦部同士を重ね合わせて、固定孔２２１内に第三ネジ２９０を挿入し、ネジ穴２１４に螺合する。これにより、第二部材２２が第一部材２１に固定されて、第二部材２２と第一部材２１とが円柱部分を形成する。この際、第三ネジ２９０の頭部２９２は、第三ザグリ部２２３内に収容され、第二部材２２から突出していない。
【００４４】
ここで、保持部材２を筐体４に組み付ける前には、照明装置１支持用の支持体９０に、保持部材２の第一部材２１が取り付けられている。具体的には、図５に示すように、支持体９０のネジ穴９９と、第一部材２１の固定孔２７０とを位置合わせして、固定孔２７０内に第二ネジ２８０を挿入して、ネジ穴９９に螺合すると、第一部材２１が支持体９０に固定される。固定後においては、第二ネジ２８０の頭部２８２が、第二ザグリ部２７４内に収容され、第一部材２１から突出していない。
【００４５】
次いで、図３に示すように、筐体４には保持部材２が取り付けられる。具体的には、筐体４の貫通孔４１における中径部分４１２内に、保持部材２を挿入して嵌合させる。この嵌合によって、保持部材２における軸方向に直交する方向の位置が決められる。また、挿入後においては、保持部材２の先端面が筐体４の当接面４５に当接するため、保持部材２における軸方向の位置が決められる。これらのことにより、保持部材２内の光ファイバ１０の光出射面の軸方向及び当該軸方向に交差する方向の位置が決められる。
【００４６】
その後、筐体４には保持部材２が固定される。具体的には、第一部材２１の固定孔２５０と、筐体４の第一ネジ穴４６とを位置合わせして、固定孔２５０内に第一ネジ２６０を挿入して第一ネジ穴４６に螺合すると、保持部材２が筐体４に固定される。固定後においては、第一ネジ２６０の頭部２６２が、第一ザグリ部２５４内に収容され、第一部材２１から突出していない。組み立て後においては、照明装置１は、図１及び図３の状態となる。
【００４７】
以上のように、本実施の形態によれば、光ファイバ１０から導光されたレーザ光を波長変換して出力する照明装置１である。照明装置１は、光ファイバ１０を保持する保持部材２と、光ファイバ１０から放出されたレーザ光を波長変換する波長変換部材３と、波長変換部材３を保持するとともに、保持部材２を収容する筐体４と、を備えている。保持部材２は、光ファイバ１０の一端部が嵌合される直線状の溝部２１３を有する。
【００４８】
この構成によれば、保持部材２には、光ファイバ１０の一端部が嵌合される直線状の溝部２１３が形成されているので、その溝部２１３に光ファイバ１０を嵌合させることで、光ファイバ１０の一端部の位置決めを可能とすることができる。つまり、フェルールを用いなくとも、光ファイバ１０の一端部を位置決めすることができる。
【００４９】
また、保持部材２は、溝部２１３に嵌合された光ファイバ１０の一端部を押さえる第二部材２２（押さえ部）を有する。
【００５０】
第二部材２２が光ファイバ１０の一端部を押さえているので、光ファイバ１０が溝部２１３から外れることを防止することができる。したがって、光ファイバ１０に対する位置決めの安定性を高めることができる。
【００５１】
また、溝部２１３には、径方向に並べられた複数本の光ファイバ１０が一括して嵌合されている。
【００５２】
一つの溝部２１３に対して複数の光ファイバ１０が一括して嵌合されているので、各光ファイバ１０毎に一つの溝部２１３を形成する場合と比べても、製造時の手間を削減することができる。
【００５３】
（変形例１）
上記実施の形態では、光ファイバ１０が嵌合する溝部２１３が、第一部材２１にのみ形成されている場合を例示した。この変形例１では、第二部材２２ａにも溝部２２３ａが形成されている場合を例示する。
【００５４】
なお、以下の説明において、上記実施の形態と同一部分においては同一の符号を付してその説明を省略する場合がある。
【００５５】
図６は、変形例１に係る保持部材２ａの概略構成を示す断面図である。具体的には、図６は、図４に対応した図である。
【００５６】
図６に示すように、保持部材２ａの第一部材２１ａの溝部２１３ａは、一対の光ファイバ１０の一部（本実施の形態では下半分）が収容される形状に形成されている。第二部材２２ａには、第一部材２１ａの溝部２１３ａに対向する箇所に、溝部２２３ａが形成されている。この溝部２２３ａは、一対の光ファイバ１０における溝部２１３ａから突出した部分（本実施の形態では上半分）が収容される形状に形成されている。溝部２１３ａ、２２３ａ内においては、一対の光ファイバ１０が嵌合されている。この場合においても、第二部材２２ａで光ファイバ１０を押さえることができる。
【００５７】
（変形例２）
上記実施の形態では、第一部材２１及び第二部材２２によって光ファイバ１０が保持されている場合を例示して説明した。この変形例２では、第一部材２１ｂとは別体の一対の板材９１、９２によって光ファイバ１０が保持されている場合について説明する。
【００５８】
図７は、変形例２に係る照明装置１Ｂの断面図である。具体的には図７は図３に対応する図である。図８は、変形例２に係る保持部材２ｂの概略構成を示す断面図である。具体的には、図８は、図７におけるＶＩＩＩ−ＶＩＩＩ線を含む切断面を見た保持部材２の断面図であり、図４に対応した図である。
【００５９】
図７及び図８に示すように、保持部材２ｂは、第一部材２１ｂと、一対の板材９１、９２とを有している。第一部材２１ｂの本体部２１１ｂには、先端面から軸方向に沿って切りかかれた凹部２１４ｂが形成されている。この凹部２１４ｂ内に一対の板材９１、９２が配置されている。本体部２１１ｂには、略半円柱状の第一部２１６ｂと、第一部２１６ｂに対して凹部２１４ｂを挟んで対向する柱状の第二部２１７ｂとが設けられている。第一部２１６ｂの平坦部には、一対の板材９１、９２を固定するための一対のネジ穴２１８ｂが形成されている。また、第一部２１６ｂの平坦部には、一対の板材９１、９２が重ねられた状態で配置されている。
【００６０】
板材９１は、第一部２１６ｂの平坦部に載置された矩形状の板材であり、その一方の主面には直線状の溝部９１１が形成されている。溝部９１１は、板材９１が第一部２１６ｂの平坦部における所定位置に配置されると、保持孔２１５に対して直線状に並んだ状態となる。この溝部９１１内に一対の光ファイバ１０の一端部が一括して嵌合される。また、板材９１には、一対のネジ穴２１８ｂに連続する一対の挿通孔９１２が形成されている。
【００６１】
板材９２は、板材９１の主面に重なる矩形状の板材である。板材９２は、溝部９１１に嵌合した一対の光ファイバ１０の一端部を押さえる押さえ部である。板材９２には、板材９２の挿通孔９１２に対応して、一対の固定孔９２０が形成されている。固定孔９２０は、ネジ２９５で板材９１、９２を第一部２１６ｂに組み付けるための孔である。具体的には、固定孔９２０は、ネジ２９５の軸部２９６が挿通される軸孔９２１と、軸孔９２１に連続し、ネジ２９５の頭部２９７が収容されるザグリ部９２２とを有している。この板材９２の固定孔９２０と、板材９２の挿通孔９１２に対してネジ２９５を挿入して、第一部２１６ｂのネジ穴２１８ｂに螺合させることで、第一部２１６ｂに一対の板材９１、９２が固定されることになる。そして、図７に示すように、一対の板材９１、９２の先端面は、筐体４の当接面４５に当接しているので、板材９１の溝部９１１内の光ファイバ１０を位置決めすることができる。また、第一部材２１ｂとは別体の一対の板材９１、９２で光ファイバ１０を保持しているので、第一部材２１ｂとは異なる場所で光ファイバ１０を板材９１に嵌合させてから、第一部材２１ｂに組み付けることができる。したがって、光ファイバ１０における嵌合作業の自由度を高めることができる。
【００６２】
（変形例３）
上記実施の形態では、保持部材２の鍔部２１２が筐体４内に収容されている場合を例示して説明した。この変形例３では、鍔部２１２が筐体４に収容されていない場合を例示して説明する。
【００６３】
図９は、変形例３に係る照明装置１Ｃの断面図である。具体的には図９は図３に対応する図である。
【００６４】
図９に示すように、照明装置１Ｃの筐体４ｃには、大径部分４１３を有さない貫通孔４１ｃが形成されている。このため、筐体４ｃの基端面には、第一ネジ穴４６が形成されている。これにより、保持部材２の鍔部２１２は、筐体４ｃの基端面に固定されることになり、筐体４ｃから突出した状態となる。なお、鍔部２１２は、一部分のみ筐体４ｃに収容されていてもよい。
【００６５】
（その他）
以上、本発明に係る照明装置について、上記実施の形態及び変形例に基づいて説明したが、本発明は、上記の実施の形態及び変形例に限定されるものではない。
【００６６】
例えば、上記実施の形態では、筐体４が略円筒状である場合を例示して説明したが、筒状であれば如何様でもよい。筐体４のその他の形状としては略角筒状などが挙げられる。また、保持部材２においても筐体４の貫通孔４１に収容可能な形状であれば如何様でもよい。
【００６７】
また、上記実施の形態では、一つの溝部２１３に対して複数の光ファイバ１０が一括して嵌合している場合を例示して説明した。しかし、保持部材に対して複数の溝部を形成し、各溝部に光ファイバを一つずつ嵌合させてもよい。
【００６８】
また、上記実施の形態では、保持部材２の鍔部２１２が筐体４に対してネジ止めされる場合を例示した。しかしながら、筐体４に対する鍔部２１２の固定方法は、如何様でもよい。その他の固定方法としては、嵌め合い固定や、接着固定などが挙げられる。なお、保持部材２の鍔部２１２が筐体４に対して着脱自在に固定されていると、メンテナンス時の作業性を高めることができる。
【００６９】
その他、実施の形態及び変形例に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７０】
１、１Ｂ、１Ｃ、１Ｄ  照明装置
２、２ａ、２ｂ、２ｄ  保持部材
３  波長変換部材
４、４ｃ  筐体
１０  光ファイバ
２２、２２ａ  第二部材（押さえ部）
９１  板材（第一板材）
９２  板材（第二板材）
２１３、２１３ａ、２２３ａ、９１１  溝部
【図１】
2018067420.tif 000003
【図２】
2018067420.tif 000004
【図３】
2018067420.tif 000005
【図４】
2018067420.tif 000006
【図５】
2018067420.tif 000007
【図６】
2018067420.tif 000008
【図７】
2018067420.tif 000009
【図８】
2018067420.tif 000010
【図９】
2018067420.tif 000011